【手続補正書】
【提出日】平成16年10月7日(2004.10.7)
【手続補正１】
【補正対象書類名】明細書
【補正対象項目名】全文
【補正方法】変更
【補正の内容】
【書類名】  明細書
【発明の名称】  給湯装置
【特許請求の範囲】
【請求項１】  貯湯タンク内の水を下部より取り出し、この水を前記貯湯タンクの上部に供給する湯水循環手段と、前記湯水循環手段による流水を加熱する加熱手段と、前記湯水循環手段および加熱手段を制御し前記貯湯タンク内に高温部と低温部の温度成層を形成させる加熱制御手段と、浴槽容量を設定する浴槽設定手段と、前記浴槽設定手段で設定された浴槽容量に応じて沸き増し運転における沸き増し量の増加目標値を定める増加目標値設定部と、前記増加目標値に達するまで沸き増し運転を行うように前記加熱制御手段を制御する沸き増し制御手段とを備える給湯装置。
【請求項２】  浴槽への湯張り運転における湯張り量を検知する流量センサを備え、浴槽設定手段は、前記流量センサの検出値により浴槽水量を設定する請求項１に記載の給湯装置。
【請求項３】  浴槽の水位を検知する水位センサを備え、浴槽設定手段は、前記水位センサの検出値により浴槽水量を設定する請求項１に記載の給湯装置。
【請求項４】  年間の季節を判定する季節設定手段を設け、沸き増し制御手段は、前記季節設定手段の設定値に応じて高温部の増加目標値を変更する請求項１〜３のいずれか１項に記載の給湯装置。
【請求項５】  入浴者数を予め設定する人数設定手段を設け、沸き増し制御手段は、前記人数設定手段の設定値に応じて高温部の増加目標値を変更する請求項１〜４のいずれか１項に記載の給湯装置。
【請求項６】  浴槽水の温度を検出する浴槽水温センサを設け、沸き増し制御手段は、前記浴槽水温センサの検出値に応じて高温部の増加目標値を変更する請求項１〜５のいずれか１項に記載の給湯装置。
【請求項７】  貯湯タンクより浴槽への湯張り運転を実施する湯張り運転制御手段を有し、沸き増し制御手段は、前記湯張り運転後に所定時間だけ行う請求項１〜６のいずれか１項に記載の給湯装置。
【発明の詳細な説明】
【０００１】
【発明の属する技術分野】
本発明は、貯湯式温水器の貯湯熱を利用して浴槽の加熱が可能な給湯装置に関するものである。
【０００２】
【従来の技術】
貯湯式温水器の貯湯熱を利用して浴槽水の追焚きや保温を行うものとして特開平１１−８３１５６号公報に記載されているような給湯装置があった。この給湯装置は図３に示すように、上部と下部にヒータ２，３を有する貯湯タンク１を備え、貯湯タンク１の上部に熱交換器４を設けると共に、熱交換器４と浴槽５の間に循環路６を有し、浴槽５の追焚きや保温をする、すなわち熱交換器４により、循環路６内の浴槽水と貯湯タンク１の湯を熱交換させるようになっている。一般家庭において浴槽水の追焚きに必要な熱量は、入浴時にすぐに温度を上げたいという要望から１０ｋＷ程度必要と考えられる。これに対して貯湯タンク１の熱を利用して浴槽水の追焚きを行う構成では、熱交換器４の表面積を大きくし貯湯タンク１の湯温を高くすれば充分に満足できる熱量が得られる。しかし、貯湯タンク１の湯は浴槽５への湯張りやシャワー等に使われるので、貯湯タンク１内の残湯は一定でなく、この残湯が少なくなれば、追焚に必要な熱量が足りなくなり浴槽水の追焚きが困難になる。また浴槽水の追焚きを行うと残湯温度が低下するため、追焚き回数を重ねると熱交換される熱量が減少し、追焚きに掛かる時間が長くなり、残湯温度が浴槽水温に近付くと最後は追焚きできなくなってしまう。
【０００３】
この問題を解決するために、特開平１１−８３１５６号公報では浴槽水が循環路６内を循環しているときに、貯湯タンク１内の上部ヒータ２に通電するようにしている。
【０００４】
また、熱交換をする前に貯湯タンク１上部の湯温を検知しておき、熱交換後に上部ヒータ２に通電して貯湯タンク１上部の湯温を元の温度に戻すようにしている。
【０００５】
しかし、上部ヒータ２の貯湯タンク１への取り付け位置が固定され、ヒータ容量に制限があるため、たとえばヒータ２で加熱する貯湯タンク１の容量が大きい場合（ヒータ２が低い位置に設けらている場合）は素早く湯温を元の温度にもどせないために、やはり追焚きに時間が掛かってしまう。また、ヒータ２で加熱する貯湯タンク１の容量が小さい場合（ヒータ２が高い位置に設けらている場合）は湯温の上昇は早いが追焚きによる温度低下も早く、浴槽水が冷えきってしまっている場合に追焚きができなくなってしまう問題があった。
【０００６】
浴槽水の追焚きに必要な熱量は、浴槽の大きさや入浴頻度、気温などによりさまざまであり、それに必要な熱量も変わってくるが、従来例では貯湯タンク１内の残湯が少なくなった場合に浴槽水の追焚きに必要な熱量を確保するためのヒータ２の位置が固定されているために、熱量の過不足が生じてしまう問題があった。とくに貯湯タンクに熱交換器を内設して熱を利用する場合は貯湯タンクの湯温を高温に維持しないと、熱交換が充分に行えない。したがって高温の湯を無駄に沸き上げてしまうと放熱ロスが多くなる問題も抱えていた。
【０００７】
本発明は、上記従来の課題を解決するもので、貯湯式温水器の貯湯熱を効率よく利用して浴槽水の追焚きや保温を行う給湯装置を提供することを目的とする。
【０００８】
【課題を解決するための手段】
本発明は上記課題を解決するために、貯湯タンク内の水を下部より取り出し、この水を前記貯湯タンクの上部に供給する湯水循環手段と、前記湯水循環手段による流水を加熱する加熱手段と、前記湯水循環手段および加熱手段を制御し前記貯湯タンク内に高温部と低温部の温度成層を形成させる加熱制御手段と、浴槽容量を設定する浴槽設定手段と、前記浴槽設定手段で設定された浴槽容量に応じて沸き増し運転における沸き増し量の増加目標値を定める増加目標値設定部と、前記増加目標値に達するまで沸き増し運転を行うように前記加熱制御手段を制御する沸き増し制御手段とを備えるものである。
【０００９】
上記発明によれば、貯湯タンクの湯が浴槽への湯張りやシャワー等に使われて残湯が少なくなっても、沸き増し制御手段により貯湯タンク内の温度成層を上部から下部に移動するように沸き増しできるので、必要に応じた温度の湯を必要な量だけ加熱できる。すなわち熱交換手段の吸熱に必要な高温の湯を必要な量沸き増しできる。
【００１０】
【発明の実施の形態】
請求項１に記載の発明の給湯装置は、貯湯タンク内の水を下部より取り出し、この水を前記貯湯タンクの上部に供給する湯水循環手段と、前記湯水循環手段による流水を加熱する加熱手段と、前記湯水循環手段および加熱手段を制御し前記貯湯タンク内に高温部と低温部の温度成層を形成させる加熱制御手段と、浴槽容量を設定する浴槽設定手段と、前記浴槽設定手段で設定された浴槽容量に応じて、沸き増し運転における沸き増し量の増加目標値を定める増加目標値設定部と、前記増加目標値に達するまで沸き増し運転を行うように前記加熱制御手段を制御する沸き増し制御手段とを備えるものである。これは、貯湯タンクの湯が浴槽への湯張りやシャワー等に使われて残湯が少なくなっても、沸き増し制御手段により貯湯タンク内の温度成層を上部から下部に移動するように沸き増しできるので、熱交換手段の吸熱に必要な高温の湯を必要な量沸き増しできる。したがって、熱交換手段の吸熱量が増し浴槽水の追焚きが素早くできる。
【００１１】
また、浴槽水が冷えた場合に行う浴槽水の追焚きは、浴水循環手段を駆動することで、貯湯タンクの熱が熱交換手段により吸熱され浴槽水を加熱するように作用する。その際の熱量は、各家庭の浴槽の大小により異なり、浴槽が大きければ、それだけ必要な熱量が多くなり、吸熱による貯湯タンクの湯温の低下が大きくなる。そのため大きな浴槽で追焚きをする時に残湯量が少なければ、貯湯タンクの湯温が低下が著しくなり、以降の給湯で湯切れを起こしたり、追焚きができなくなる不都合があった。また、小さな浴槽で追焚きをする場合に残湯量が多いと、湯切れは起きないが、貯湯タンクからの放熱が多くなり効率が悪化するなどの問題があった。
【００１２】
そこで、浴槽水量に応じて貯湯タンクの高温部の沸き増しの目標値を、浴槽水量が多い場合は多く、浴槽水量が少ない場合は少なくするなどの変更を行うようにして、浴槽水の追焚きに必要な熱量に対応した沸き増しによる残湯量制御をおこない、無駄のない貯湯ができるようにした。
【００１３】
請求項２に記載の発明は、請求項１に記載の浴槽設定手段が、浴槽への湯張り運転における湯張り量を検知する流量センサを備え、前記流量センサの検出値により浴槽水量を設定することにより、正確な浴槽水量が設定できる。
【００１４】
請求項３に記載の発明は、請求項１に記載の浴槽設定手段が、浴槽の水位を検知する水位センサを備え、前記水位センサの検出値により浴槽水量を推定することにより、入浴によって増減する浴槽水の変化も検知できるので、沸き増し運転を開始する時点の正確な浴槽水量が設定できる。
【００１５】
請求項４に記載の発明は、年間の季節を判定する季節設定手段を設け、請求項１〜３のいずれか１項に記載の沸き増し制御手段が、前記季節設定手段の設定値に応じて高温部の増加目標値を変更するものである。
【００１６】
浴槽水は、気温や人体の体表面温度など季節要因によって冷め方が変ってくる。これに伴ない浴槽水の追焚きによる貯湯タンクからの吸熱量も変化する。請求項５の発明ではカレンダー時計や水温、気温など年間の季節を判定する季節設定手段の季節設定値に応じて沸き増しの目標値を設定するので、湯切れがなく無駄のない貯湯ができる。
【００１７】
請求項５に記載の発明は、入浴者数を予め設定する人数設定手段を設け、請求項１〜４のいずれか１項に記載の沸き増し制御手段が、前記人数設定手段の設定値に応じて高温部の増加目標値を変更するものである。
【００１８】
浴槽水は、入浴の度に浴槽の熱が人体に奪われ冷める。また、入浴者は入浴時に自分の好みの浴水温度に追焚きするので、入浴者数に比例して浴槽水の追焚きに必要な熱量が増加する。
【００１９】
そこで上記請求項５の発明によれば、予め設定された入浴者数に応じて沸き増しの目標値を設定するので、湯切れがなく無駄のない貯湯ができる。
【００２０】
請求項６に記載の発明の給湯装置は、浴槽水の温度を検出する浴槽水温センサを設け、請求項１〜５のいずれか１項に記載の沸き増し制御手段が、前記浴槽水温センサの検出値に応じて高温部の増加目標値を変更するので、浴槽水温度の低下に応じて高温部の増加目標を増やすように変更することができるので、浴槽水の追焚きが素早く確実におこなえ、追焚き後も湯切れを起こすことがない。
【００２１】
請求項７に記載の発明の給湯装置は、貯湯タンクより浴槽への湯張り運転を実施する湯張り運転制御手段を有し、請求項１〜６のいずれか１項に記載の沸き増し制御手段が、前記湯張り運転後に所定時間だけ行うようにしている。
【００２２】
一般的に家庭内での最大の給湯負荷は浴槽への湯張りであり、この湯張り以降必要以上の沸き増し運転は、貯湯タンクからの放熱を増すばかりで得策ではない。特に浴槽水の追焚き運転やシャワーの使用は家族の入浴時間帯だけ行われるので、この時間帯以降は沸き増し運転の必要がなくなる。
【００２３】
そこで上記請求項７の発明によれば、沸き増し運転を、湯張り運転後に所要時間だけ行っているので、無駄な沸き増しがなく効率よく経済的である。
【００２４】
【実施例】
以下本発明の実施例について、図面を参照しながら説明する。
【００２５】
（実施例１）
図１は本発明の第１の実施例における給湯装置の構成図を示す。
【００２６】
本実施例は一般家庭用の給湯装置で、主に割安な深夜電力を利用して給湯の湯を貯留するもので、貯湯タンク１０と、浴槽１１と、ヒートポンプサイクルで構成される加熱手段１２から構成される。
【００２７】
給湯は、貯湯タンク１０底部の給水口１３から水道水が供給され、貯湯タンク１０上部に設けた出湯口１４からから出湯される。
【００２８】
貯湯タンク１０内の沸き上げは、貯湯タンク１０の下部に設けた取水口１５より水を取り出し、貯湯タンク１０上部の供給口１６より戻す湯水循環手段１７と、この湯水循環手段１７の流水を加熱する加熱手段１２により行う。具体的には、加熱手段１２の出口１８近傍に設け、流水の加熱温度を検出する加熱センサ１９の検出値を入力して、湯水循環手段１７の沸き上げポンプ２０と、加熱手段１２のヒートポンプサイクルを加熱制御手段２１により制御し、供給口１６に高温（例えば９０℃）の湯を戻すようにしている。これによって、貯湯タンク１０内が高温部２２と低温部２３に分かれ温度成層２４が形成され、沸き上げ運転にしたがって温度成層２４は貯湯タンク１０の下方に移動し、最終は貯湯タンク１０内が全て高温部２２になる。この貯湯タンク１０全体の沸き上げは主通電時間帯（例えば、時間帯別電灯の電気料金が安い２３時から翌朝の７まで）に予め設定し行うようにしている。そしてこの主通電時間帯以外の時間帯では貯湯タンク１０の残湯に応じて適宜沸き上げ運転が入るようになっている。
【００２９】
浴槽１１内の浴槽水２５の保温や追焚きをする場合は、貯湯タンク１０上部に内設した熱交換手段２６により吸熱し、浴水循環手段２７を介して熱交換手段２６からの熱を浴槽１１に供給する。
【００３０】
熱交換手段２６は、金属パイプをコイル状に成形した熱交換器を貯湯タンク１０内に配置したもので、この金属パイプ内を流れる浴槽水と貯湯タンク１０内の湯が熱交換する。
【００３１】
浴水循環手段２７は、浴槽１１と熱交換手段２６とをつなぎ循環回路を構成する往き管２８と、戻り管２９と、戻り管２９に設けた浴水ポンプ３０よりなり、浴槽水２５を熱交換手段２６に送り、加熱された浴槽水を浴槽１１に戻すように作用する。
【００３２】
加熱手段１２は、例えば炭酸ガスを冷媒として使用することにより、高圧側の冷媒圧力が冷媒の臨界圧以上となる超臨界ヒートポンプサイクルを使用している。このヒートポンプサイクルは圧縮機３１、水加熱用熱交換器３２、膨張弁３３、蒸発器３４等の機能部品により構成されている。圧縮機３１は、内蔵する電動モータ（図示しない）によって駆動され、吸引した冷媒を臨界圧力まで圧縮して吐出する。
【００３３】
水加熱用熱交換器３２は、冷媒と湯水循環手段１７を流れる水とを熱交換するもので、例えば冷媒が流れる冷媒通路３５と水が流れる流水通路３６とが２重管構造に設けられ、且つ冷媒の流れ方向と流水の流れ方向が対向するように構成された対向流式熱交換器である。膨張弁３３は、水加熱用熱交換器３２から流出する冷媒を減圧して蒸発器３４に供給する。蒸発器３４は、膨張弁３３で減圧された冷媒を大気との熱交換によって蒸発させる。
【００３４】
３７は出湯管１４から出湯される湯と給水管３８からの水道水を混合する混合弁で、混合温度を検出する混合温度センサ３９の検出値をフィードバックして所定の温度（例えば４０℃）に混合して出湯管４０に送出する。出湯管４０は蛇口４１やシャワー（図示せず）に接続される。
【００３５】
４２は出湯管４０と往き管２８を繋ぐ注湯管４３に設けられた開閉弁で、浴槽１１に湯張したり、差し湯する場合に、この開閉弁４２を開放して行う。
【００３６】
４４は出湯管４０に取り付けられ、この出湯管４０より湯張り運転される際の湯張り量や給湯時の給湯量を検知する流量センサ、４５は戻り管２９に取り付けられ浴槽水２５の水位を検知する水位センサ、４６は浴槽１１近傍に設け、浴槽水２５の温度を検知する浴槽水温センサ、４７は貯湯タンク１０の高温部２２の湯量を検出する残湯量センサで、貯湯タンク１０の外壁に垂直方向に密着させた複数の温度センサ４７ａ〜４７ｇで構成されている。
【００３７】
４８は残湯量センサ４７の検出した残湯量が減少した場合に、高温部２２を増加運転するように加熱制御手段２１に加熱指示を出す沸き増し制御手段である。この沸き増し制御手段４８は、流量センサ４４と水位センサ４５と浴槽温度センサ４６から検出信号を入力し、この信号に基づいて高温部２２の増加運転の増加目標値を設定する。
【００３８】
次に沸き増し制御手段４８を中心とした制御について図２の制御ブロック図に基づいて説明する。
【００３９】
図２において、４９は湯張り運転制御手段で、使用者の運転指示によって貯湯タンク１０の湯を浴槽１１に湯張り運転するもので、開閉弁４２を開放して混合弁３７より所定温度（例えば４０℃）に混合された湯を浴槽１１に湯張りする。この時、水位センサ４５が予め設定した水位を検出したら湯張り運転を停止するように作用する。
【００４０】
５０は人数設定手段で、リモコンに設けられたスイッチ（図示せず）により、予め入浴する人数を設定するものである。
【００４１】
５１は季節設定手段であり、内部に設けたカレンダー時計（図示せず）により季節を判定する。５２は沸き上げ温度設定手段で、リモコンに設けられスイッチ（図示せず）により、予め沸き上げ温度を設定する。５３は給水温度センサで、貯湯タンク１０に給水される水温を検出する。ここでは残湯量センサ４７に用いた温度センサ４７ｇを使って給水温度を検出するようにしている。５４は２４時間のタイマーである。
【００４２】
５５は浴槽設定手段で、湯張り運転制御手段４９が湯張り運転作動中の流量センサ４４の積算流量を記憶し、これを基本の浴槽容量として設定する。そして入浴中に浴槽から汲み出されたり、湯が追加されたりする変動を水位センサ４５により読み取り、前記の基本の浴槽容量を補正する。すなわち水位センサ４５の検出した水位の上昇下降分の水位差に浴槽面積分の係数を乗じて算定した変動水量を基本の浴槽容量に加減する。
【００４３】
５６は、沸き増し運転における沸き増し量すなわち、貯湯タンク１０の高温部２２の量を増加させるための目標値を設定する増加目標値設定部である。この増加目標値設定部５６は、浴槽設定手段５５と人数設定手段５０と浴槽水温センサ４６と季節設定手段５１と沸き上げ温度設定手段５２と給水温度センサ５３の信号を入力して、これらの値に応じて増加目標値を定めるものである。増加目標値は、無駄な放熱を抑えつつ、浴槽水の追焚きを行う際に必要な熱量を確保するために、必要最小限の量を沸き増しするのが望ましい。そこで次式で算定される値を増加目標値としている。
【００４４】
Ｖｓ＝（Ｖｂ・Ｔｈ・Ｎｈ・Ｋｓ＋Ｖｂ・Ｋｔ・ｄＴｂ）／（Ｔｓ−Ｔｗ）＋αただし、Ｖｓ：増加目標値（Ｌ）
Ｖｂ：浴槽設定手段の信号（浴槽容量Ｌ）
Ｔｈ：浴槽水追焚き温度（℃）
Ｎｈ：人数設定手段入力値（入浴人数）
Ｋｓ：季節係数（季節判定手段からの信号より）
Ｋｔ：追焚き時間（ｈ）
ｄＴｂ：単位時間当りの浴槽水温センサの変化値（℃／ｈ）
Ｔｓ：沸き上げ温度設定手段入力値（℃）
Ｔｗ：給水温度（℃）
α：余裕量（Ｌ）
ここで、Ｖｂ・Ｔｈ・Ｎｈ・Ｋｓは人の入浴による浴槽の熱損失量を算定するもので、Ｔｈは人が入浴した場合の標準的低下湯温を設定する。すなわち、入浴により冷めた浴槽水を追焚きする温度となる。
【００４５】
Ｋｓは季節によって入浴時の低下湯温が異なるので、これを補正する係数である。人体は冬は皮膚温が低下し入浴時に沢山の熱量を浴槽から吸収するが、夏場は皮膚温が高く浴槽からの吸熱が減少する。したがって、季節判定手段が冬（例えば１２〜３月）と判定すればＫｓ＝１．５とし、夏（例えば６〜９月）であればＫｓ＝０．５とし、中間期（例えば４，５，１０，１１月）はＫｓ＝１．０とする。
【００４６】
Ｖｂ・Ｋｔ・ｄＴｂは浴槽の自然放熱による損失熱量で、ｄＴｂの１時間当りの浴槽水温センサの変化値に追焚き時間（例えば１８〜２３時の５時間）を乗じて、放熱による低下温度を求め、これに浴槽容量を乗じて算出する。
【００４７】
αは浴槽水追焚き以外のシャワーなどの給湯に備えた余裕量を設定する。
【００４８】
５７は、増加目標値設定部５６で設定された設定量と、残湯量センサ４７で検出された残湯量に応じて加熱手段２１による加熱運転の指示をする沸き増し制御部で、設定値に対して残湯量が多ければ加熱運転はしない。逆に設定値に対して残湯量が少なければ残湯量が設定値に達するまで加熱運転を行うように制御する。ただし沸き増し制御部５７は、湯張り運転制御手段４９の湯張り運転終了信号とタイマ５４の信号を入力し、湯張り運転終了時点から所定時間（例えば５時間）だけ加熱運転を行うようにしている。
【００４９】
以上実施例１の構成によれば、深夜の主通電時間帯に沸き上げられた貯湯タンク１０の湯が浴槽１１への湯張りやシャワー等に使われて残湯が少なくなっても、沸き増し制御手段４８の増加目標値設定部５６で設定された量の湯が確保できるように貯湯タンク１０内の温度成層２４を上部から下部に移動するように沸き増しするので、熱交換手段２６の吸熱に必要な高温の湯を必要な量だけ貯湯できる。したがって、熱交換手段２６の吸熱量が増し浴槽水２５の追焚きが素早くできる。
【００５０】
また、沸き増し制御手段４８は、浴槽設定手段５５が設定する浴槽水量に応じて高温部２２の増加目標値を変更し、浴槽水量が多い場合は多く、浴槽水量が少ない場合は少なくなるよう制御される。したがって、浴槽水の追焚きに必要な熱量に対応した沸き増しによる残湯量制御ができ、無駄のない貯湯ができる。
【００５１】
さらに、浴槽設定手段５５が、浴槽１１への湯張り運転における湯張り量を検知する流量センサ４４と、浴槽の水位を検知する水位センサ４５とを備え、これらセンサより、入浴によって増減する浴槽水の変化も検知できるので、沸き増し運転を開始する時点の正確な浴槽水量が設定できる。
【００５２】
また、沸き増し制御手段４８が、季節設定手段５１の設定値に応じて高温部２２の増加目標値を変更するので、湯切れがなく無駄のない貯湯ができる。
さらに、人数設定手段５０の設定値に応じて高温部２２の増加目標値を変更するので、入浴者が多い少ないに左右されることなく、湯切れがなく無駄のない貯湯ができる。
【００５３】
また、浴槽水温センサ４６の検出値からもとめる浴槽水温の温度低下度合に応じて高温部２２の増加目標値を変更するので、気温や換気や浴槽の断熱性などより変化する浴槽水温の低下速度に影響されることなく、浴槽水の追焚きが素早く確実におこなえ、追焚き後も湯切れを起こすことがない。
【００５４】
さらに、沸き増し制御手段４８の沸き増し制御部５７は、加熱手段２１による加熱運転を湯張り運転後に所定時間だけ行うようにしているので、必要以上の無駄な沸き増しがなく効率よく経済的である。
【００５５】
なお、実施例では加熱手段に超臨界ヒートポンプサイクルを用いたが、もちろん通常のヒートポンプサイクルでも良いし、一般のヒータや燃焼機でも同様の効果が得られる。
【００５６】
また、実施例では熱交換手段を貯湯タンク内に設けたものを用いたが、貯湯タンクの外壁面に密着させて熱交換させても良いし、貯湯タンクから離れたところに熱交換手段を配置して、貯湯タンク内の湯を強制循環により熱交換手段に供給して浴槽水と熱交換させてもよい。
【００５７】
【発明の効果】
以上のように、請求項１〜８に記載の発明によれば、貯湯式温水器の貯湯熱を効率よく利用して浴槽水の追焚きや保温を行う給湯装置を提供することができる。
【図面の簡単な説明】
【図１】
本発明の実施例１における給湯装置の構成図
【図２】
同実施例１における給湯装置の沸き増し制御手段のブロック図
【図３】
従来の給湯装置の構成図
【符号の説明】
１０  貯湯タンク
１１  浴槽
１２  加熱手段
１７  湯水循環手段
２１  加熱制御手段
２２  高温部
２３  低温部
２４  温度成層
２６  熱交換手段
２７  浴水循環手段
４４  流量センサ
４５  水位センサ
４６  浴槽水温センサ
４７  残湯センサ
４８  沸き増し制御手段
４９  湯張り運転制御
５０  人数設定手段
５１  季節設定手段